(57)【特許請求の範囲】
【請求項１】
変調信号を増幅する増幅手段と、
この増幅手段の出力信号が供給されて、発光する光信号が変調される発光素子と、
前記増幅手段の出力の一部が供給されるモニタ端子とを、
具備する光変調器において、
前記増幅手段は、前記発光素子の変調度が予め定めた値となるように利得が調整され、前記増幅手段の出力の一部を減衰させて前記モニタ端子に供給する可変減衰手段が設けられ、この可変減衰手段は、前記増幅手段の利得が調整された状態で、前記モニタ端子の出力レベルが予め定めた値となるように調整される
モニタ回路。
【請求項２】
変調信号を増幅する増幅手段と、
この増幅手段の出力信号が第１の可変減衰手段を介して供給されて、発光する光信号が変調される発光素子と、
前記第１の可変減衰手段の出力の一部が供給されるモニタ端子とを、
具備する光変調器において、
前記第１の可変減衰手段は、前記発光素子の変調度が予め定めた値となるように利得が調整され、前記第１の可変減衰手段の出力の一部を減衰させて前記モニタ端子に供給する第２の可変減衰手段が設けられ、この第２の可変減衰手段は、前記第１の可変減衰手段の減衰量が調整された状態で、前記モニタ端子の出力レベルが予め定めた値となるように調整される
モニタ回路。
【請求項３】
変調信号を増幅する増幅手段と、
この増幅手段の出力信号が供給されて、発光する光信号が変調される発光素子と、
前記増幅手段の出力の一部が供給されるモニタ端子とを、
具備する光変調器において、
増幅手段の出力を減衰させて前記発光素子に供給する可変減衰手段が設けられ、この可変減衰手段は、前記発光素子の変調度が予め定めた値となるように調整され、前記増幅手段の出力の一部を予め定めた減衰量で減衰させて前記モニタ端子に供給する固定減衰手段が設けられている
モニタ回路。
【発明の詳細な説明】
【技術分野】
【０００１】
本発明は、光変調器に用いられているモニタ回路に関する。
【背景技術】
【０００２】
光変調器としては、例えば特許文献１に開示されているようなものがある。特許文献１に開示されている光変調器では、レーザーダイオードモジュールに増幅器で増幅したアナログ信号を供給して、光変調を行うもので、レーザーダイオードモジュールのバイアス電流をＡＰＣ回路によって検出し、このバイアス電流の変動量に応じて増幅器のゲインを自動的に調整し、光変調度を一定に保つものである。
【０００３】
【特許文献１】特開平１０−２９４５１６号公報
【発明の開示】
【発明が解決しようとする課題】
【０００４】
ところで、このような光変調器では、モニタ端子を設け、増幅器のレベルを外部から測定できるようにすることがある。そのため、高周波増幅器の出力を１分岐器に入力し、１分岐器の分岐出力を減衰量が一定値に固定された減衰器を介してモニタ端子に供給し、１分岐器の出力をレーザーダイオードモジュールに供給する。また、光変調器では、予め定めた光変調度が得られるように、出荷時に増幅器の利得を調整する。レーザーダイオードモジュールの特性のばらつきに起因して、調整された増幅器の利得は、光変調器ごとに異なった値となる。そのため、モニタ端子に出力されるモニタレベルが、光変調器ごとに異なった値となる。例えば、この光変調器を運用する場合に、光変調度が所定の光変調度になっているか、モニタ端子でのモニタレベルを測定して、チェックしようとする場合、光変調器ごとに、所定の光変調度が得られるモニタレベルが異なっているので、そのチェック作業が非常に面倒である。特に、モニタ端子の付近に、所定の光変調度が得られるモニタレベルをｄＢμＶの単位を用いた絶対表示とした場合には、光変調器ごとに表示する値を変更しなければならない。また、所定の光変調度が得られるように再調整するような場合、光変調器ごとにその値が異なり、たとえモニタ端子の付近に所定の光変調度を得るために必要なレベルが表示されていたとしても、多数の光変調器を同時に調整する場合、誤って調整する可能性がある。
【０００５】
本発明は、特性にばらつきがあるレーザーダイオードのような発光素子を所定の光変調度が得られるように各光変調器ごとに調整してあっても、モニタ端子のモニタレベルが予め定めた値となるようにして、所定の光変調度となるモニタレベルを表す表示を同一機種の光変調器では同一とするようにし、かつ再調整作業の際の調整誤りが生じることを防止することを目的とする。
【課題を解決するための手段】
【０００６】
本発明の一態様によるモニタ回路は、光変調器に実施されている。光変調器では、増幅手段によって変調信号が増幅される。この増幅手段の出力信号が発光素子、例えばレーザーダイオードに供給される。発光素子は、変調された光信号を発生する。また増幅手段の出力の一部がモニタ端子に供給されており、モニタ端子に測定器を測定することによって、増幅手段の出力のレベルを知ることができる。前記増幅手段は、前記発光素子の光変調度が予め定めた値となるように利得が調整される。前記増幅手段の出力の一部を減衰させて前記モニタ端子に供給する可変減衰手段が設けられている。モニタ端子と発光素子とに増幅手段の出力を供給するために、分岐手段を設けることができる。可変減衰手段は、前記増幅手段の利得が調整されたとき、前記モニタ端子の出力レベルが予め定めた値となるように調整される。
【０００７】
このように構成されたモニタ回路では、同一の光変調度を得るために、各光変調器の増幅手段の利得は、光変調器ごとに異なった値となっている。しかし、可変減衰手段によってモニタ端子のモニタレベルの値は、いずれの光変調器でも一定の値とされている。従って、所定の光変調度を得るために必要なモニタレベルの値を絶対表示した語句をモニタ端子の付近に表示する場合、どの光変調器でもその表示は同一の値のものとなる。
【０００８】
本発明の別の態様は、上記の態様において増幅手段の出力側に第１の可変減衰手段を設け、第１の可変減衰手段で減衰された増幅手段の出力を上記態様における可変減衰手段によって減衰させて、モニタ端子に供給する。この構成において、上記の態様と同様に動作させることができる。
【０００９】
本発明の他の態様のモニタ回路は、上記態様と同様な光変調器において、増幅手段の出力を減衰させて発光素子に供給する可変減衰手段が設けられている。この可変減衰手段は、発光素子の光変調度が予め定めた値となるように調整される。増幅手段の出力の一部を予め定めた減衰量で減衰させてモニタ端子に供給する固定減衰手段が設けられている。
【００１０】
このように構成されたモニタ回路では、可変減衰手段を調整して、発光素子に供給される増幅手段の出力レベルを、所定の光変調度が得られるようにしても、モニタ端子で測定されるモニタレベルは、予め定めた値である。従って、予め定めた光変調度を得るために必要なモニタレベルとして、モニタ端子の近辺に表示する絶対表示の値は、どの光変調器でも一定である。
【発明の効果】
【００１１】
以上のように、本発明によれば、特性にばらつきがある発光素子で所定の光変調度を得るように光変調器ごとに調整してあっても、モニタ端子のモニタレベルが予め定めた値となるようにしてあるので、所定光変調度に対応するモニタレベルを表す表示を同一機種の光変調器では同一とすることができ、かつ所定の光変調度を得るように再調整作業を行う際に調整誤りが生じることを防止することができる。
【発明を実施するための最良の形態】
【００１２】
本発明の第１の実施形態のモニタ回路は、図１に示すように、光送信機に設けられている。この光送信機は、変調信号、例えばテレビジョン信号等の高周波信号を増幅する増幅器２を有している。この増幅器２は、その利得を調整可能に構成されている。この増幅器２の出力信号は、分岐手段、例えば１分岐器４の出力側から、発光素子、例えばレーザーダイオード６に供給されている。このレーザーダイオード６は、バイアス回路８によってバイアスが与えられており、１分岐器４を介して供給される増幅器２の出力に応じて変調された光信号を、発生し、光出力端子１０から出力している。このレーザーダイオード６の特性にはばらつきがあり、予め定めた光変調度を得るためには、工場出荷時に光送信機ごとに増幅器２からの出力のレベルを調整する必要がある。そのため、増幅器２の利得は、光送信機ごとに異なった値となる。
【００１３】
１分岐器４の分岐出力は、可変減衰器１２を介してモニタ端子１４に供給されている。この可変減衰器１２の減衰量は、増幅器２の利得がどのように調整されていても、モニタ端子１４でのモニタレベルが予め定めた値となるように、工場出荷時に調整されている。
【００１４】
上述したように所定の光変調度とするために、光変調器ごとに増幅器２の利得は異なったものとなっている。従って、可変減衰器１２ではなく、減衰量が一定の固定減衰器を介してモニタ端子１４に、１分岐器４の分岐出力を供給した場合、モニタ端子１４のモニタレベルは、光変調器ごとに異なったものとなる。モニタ端子１４の近辺に所定の光変調度であるときのモニタレベルを表したラベル等を貼付する場合、光変調器ごとに異なったモニタレベルを記載したラベルを貼付しなければならず、ラベルの準備作業が非常に面倒である。
【００１５】
これに対し、この実施形態では、所定の光変調度が得られるように増幅器の利得を調整した状態において、可変減衰器１２の減衰量を予め定めたモニタレベルが得られるように調整してある。従って、いずれの光変調器に貼付するラベルも１種類だけ準備すればよく、ラベルの準備作業が容易になる。また、１種類の表示であるので、モニタ端子１４の近傍のパネルにシルク印刷で表示することも可能となる。
【００１６】
また、固定減衰器を用いた結果、モニタ端子１４のモニタレベルが光変調器ごとに異なっている場合、光変調器を実際に運用するために設置場所に設置した場合、なんらかの原因で光変調度が予め定めた値からずれていることがある。その場合、その光変調器のモニタレベルがラベルに表示されている値となるように、例えば増幅器２の利得を調整する必要がある。光変調器は、共同受信システムのヘッドエンドに複数台設置することがある。従って、光変調器ごとに、異なったモニタレベルとなるように増幅器２の利得を調整しなければならない。多数の光変調器において、増幅器２の利得を光変調器ごとに異なるモニタレベルとなるように調整する場合、或る光変調器に設定しなければならないモニタレベルを他の光変調器に設定する可能性がある。
【００１７】
これに対し、予め定めた光変調度が得られるように増幅器２の利得を調整した状態で、モニタレベルが予め定めた値となるように可変減衰器１２を調整している場合、多数の光変調器においてなんらかの原因で光変調度が予め定めた値からずれていても（この場合、モニタレベルは予め定めた値からずれている。）、どの光変調器も、モニタレベルが予め定めた値となるように増幅器２の利得を調整すればよいので、誤った調整をする可能性が少なくなる。
【００１８】
第２の実施形態のモニタ回路では、図２に示すように、１分岐器４の出力側とレーザーダイオード６との間に可変減衰器１６を設け、１分岐器４の分岐側とモニタ端子１４との間に固定減衰器１８が設けられている以外、第１の実施形態と同様に構成されている。同等部分には同一符号を付して、その説明を省略する。
【００１９】
この実施形態では、増幅器２の利得を予め定めた値に固定した状態において、可変減衰器１６の減衰量を調整して、光変調度を予め定めた値としている。一方、モニタ端子１４には、利得が一定のままである増幅器２の出力を１分岐器４で分岐し、固定減衰器１８で所定減衰量に減衰させたモニタレベルが生じる。従って、いずれの光変調器でも、光変調度が予め定めた値となるように可変減衰器１６の減衰量を調整していても、モニタレベルは一定である。
【００２０】
よって、モニタ端子１４の近傍に貼付するラベルに記載される値は、いずれの光変調器においても同じである。また、光変調器設置している状態において、増幅器２が原因で光変調度が予め定めた値からずれた場合、モニタレベルは予め調整されているレベルとは異なった値となっているが、この異なった値が予め決定されているレベルとなるように増幅器２の利得を調整する。従って、複数の光変調器において増幅器２の利得を同時に調整しなければならないとしても、いずれの光変調器でもモニタレベルが予め定めた値となるように調整すればよいので、調整作業が容易である。
【００２１】
第３の実施形態のモニタ回路では、図３に示すように、可変減衰器１６を増幅器２の出力側と１分岐器４の入力側との間に設けた以外、第１の実施形態のモニタ回路と同様に構成されている。同等部分には同一符号を付して、その説明を省略する。この実施形態では、増幅器２の利得を調整せずに、可変減衰器１６の減衰量を調整することによって、第１の実施形態と同様に動作させることができる。
【図面の簡単な説明】
【００２２】
【図１】本発明の第１の実施形態のモニタ回路のブロック図である。
【図２】本発明の第２の実施形態のモニタ回路のブロック図である。
【図３】本発明の第３の実施形態のモニタ回路のブロック図である。
【符号の説明】
【００２３】
２  増幅器（増幅手段）
６  レーザーダイオード（発光素子）
１２  １６  可変減衰器
１４  モニタ端子
１８  固定減衰器
【図１】
0004708916.tif 000002
【図２】
0004708916.tif 000003
【図３】
0004708916.tif 000004